(57)【要約】【課題】電波が不安定な状態での負荷の高いデータ通信を避けることができ、効率的に無線ネットワークを利用できるダウンロードシステムと無線端末装置を提供する。【解決手段】サーバＳが２種類の解像度を提供する場合、そのときの受信電界強度を確認し、受信電界強度が基準値Ｃを超えている場合はＶＧＡの解像度を有するディジタルコンテンツのダウンロード処理を行う。一方、受信電界強度が基準値Ｃ以下である場合はＱＶＧＡページへの接続を誘導する画面を表示しユーザがＱＶＧＡを選択した場合はＱＶＧＡの解像度を有するディジタルコンテンツのダウンロード処理を行う。【選択図】図５
2007129472.tif 000002
【特許請求の範囲】
【請求項１】
ディジタルコンテンツを提供する無線ネットワークに接続されたサーバから、無線通信端末が前記無線ネットワークを経由して前記ディジタルコンテンツをダウンロードするダウンロードシステムにおいて、
前記サーバは、１つの前記ディジタルコンテンツについてデータ量毎に複数種備え、
前記無線通信端末は、
前記ダウンロードを行う無線通信の通信品質を判断する通信品質判断手段と、
前記通信品質判断手段によって判断された通信品質に基づいて、前記サーバに対し、最適なデータ量のディジタルコンテンツのダウンロードを要求する要求手段とを備え、
前記サーバは、
前記要求手段により要求されたデータ量のディジタルコンテンツを提供する提供手段を備え、
前記無線通信端末はさらに、
前記提供制御手段により提供されたディジタルコンテンツをダウンロードするダウンロード手段を備える
ことを特徴とするダウンロードシステム。
【請求項２】
ディジタルコンテンツを提供するサーバから無線ネットワークを経由してディジタルコンテンツをダウンロードする無線通信端末において、
無線通信の通信品質を検出する通信品質検出手段と、
前記サーバが１つのディジタルコンテンツについてデータ量毎に複数種備えていることを検知する検知手段と、
この検知手段により前記サーバが１つのディジタルコンテンツについてデータ量毎に複数種備えている場合、前記通信品質検出手段により検出された通信信品質に基づいて、前記サーバに最適なデータ量のディジタルコンテンツをダウンロード要求するダウンロード要求手段と、
を備えることを特徴とする無線通信端末。
【請求項３】
前記通信品質は、前記無線通信の受信電界強度、誤り率、応答時間または実効伝送レートのうちの任意の組み合わせであることを特徴とする請求項２に記載の無線通信端末。
【請求項４】
前記ディジタルコンテンツは静止画像データまたは動画像データであり、
この静止画像データまたは動画像データを再生表示する表示手段と、
前記ダウンロード要求手段に応答してダウンロードされた静止画像データまたは動画像データが、前記表示手段の表示能力よりも小さい場合、この静止画像データまたは動画像データを、より高解像のデータに変換して前記表示手段に表示させる表示制御手段と、
をさらに備えることを特徴とする請求項２または３に記載の無線通信端末。
【請求項５】
前記表示手段の画面の解像度を有する画像データを格納する第１の画像記憶手段と、
前記表示手段の画面の解像度とは異なる解像度の画像データを格納する第２の画像記憶手段と、をさらに備え、
前記表示制御手段は、
前記第１の画像記憶手段に画像データが格納された場合には、この第１の画像記憶手段に格納された画像データをそのまま前記表示手段に表示する一方、
前記第２の画像記憶手段に画像データが格納された場合には、この第２の画像記憶手段に格納された画像データを所定の拡大率または縮小率で拡大または縮小して、前記表示手段に表示することを特徴とする請求項５に記載の無線通信端末。
【請求項６】
ディジタルコンテンツを提供するサーバから無線ネットワークを経由してディジタルコンテンツをダウンロードする無線通信端末のダウンロード方法において、
無線通信の通信品質を検出する通信品質検出ステップと、
前記サーバが１つのディジタルコンテンツについてデータ量毎に複数種備えていることを検知する検知ステップと、
この検知ステップにより前記サーバが１つのディジタルコンテンツについてデータ量毎に複数種備えている場合、前記通信品質検出ステップにより検出された通信信品質に基づいて、前記サーバに最適なデータ量のディジタルコンテンツをダウンロード要求するダウンロード要求ステップと
からなることを特徴とするダウンロード方法。
【請求項７】
ディジタルコンテンツを提供するサーバから無線ネットワークを経由してディジタルコンテンツをダウンロードするコンピュータを、
無線通信の通信品質を検出する通信品質検出手段と、
前記サーバが１つのディジタルコンテンツについてデータ量毎に複数種備えていることを検知する検知手段と、
この検知手段により前記サーバが１つのディジタルコンテンツについてデータ量毎に複数種備えている場合、前記通信品質検出手段により検出された通信信品質に基づいて、前記サーバに最適なデータ量のディジタルコンテンツをダウンロード要求するダウンロード要求手段
として機能させるためのプログラム。
【発明の詳細な説明】
【技術分野】
【０００１】
本発明は、サーバから無線ネットワークを経由してディジタルコンテンツをダウンロードして利用するダウンロードシステム、無線通信端末、及びダウンロード方法に関する。
【背景技術】
【０００２】
無線通信の発達によって、無線通信端末でインターネットのホームページを閲覧したり、無線ネットワークを経由してサーバから、音楽、画像、映像またはゲームソフトなどのディジタルコンテンツをダウンロードすることが行われている。
【０００３】
情報処理機器の高度化と通信技術の発展に伴って、画像表示機能を有する端末装置において、表示できる画像の解像度がより精細になり、また画面サイズが拡大している。端末装置においては、その特性と利用状況に応じて画面の解像度および画面サイズが選択されている。１つの端末装置に表示する画像でも、異なる解像度の画像が混在する。例えば、携帯電話の表示画面はＱＶＧＡ（Quarter VGA。320×240ピクセルの解像度）が一般に多く用いられているが、それより小さい画面を有する携帯電話もあるし、ＶＧＡ（Video Graphics Array。640×480ピクセルの解像度）の表示機能が用いられる可能性がある。
【０００４】
携帯電話で再生できるメロディーは単音からポリフォニックになり、また再生できる楽曲は、サンプリング周波数が高く、サンプルあたりのビット数が多くなって、より高音質になっている。
【０００５】
そのような状況では、無線通信端末でダウンロードするディジタルコンテンツは、データ量が増大している。無線ネットワークで伝送するデータ量が増大しているが、無線通信の特性上、常に安定してデータ通信が行えるわけではない。例えば、基地局から遠い場合、建物の陰やビルの内部または地下など受信電界強度が下がり、高速で移動する場合などフェージングによって通信品質が低下する。また、通信の混雑度によって、無線通信端末当たりの実効伝送レートが下がり、1つのディジタルコンテンツをダウンロードする時間が長くなる。通信品質の低下によっては、データ誤りのためにダウンロードできない場合もあり得る。
【０００６】
例えば、特許文献１は、受信電界強度情報に基づいて、撮像手段により撮影した画像の構成画素数を変化させることによって、回線の品質が悪化した場合においても、画像伝送を伴った通信の継続を可能とする携帯電話端末装置の技術が記載されている。
【０００７】
また、異なる解像度の画像を表示する技術として、例えば特許文献２は、表示画面サイズよりも小さい画面サイズの動画を表示する技術が記載されている。特許文献２の技術は、画像メモリを、表示画面サイズより小さい画面サイズの複数の動画用メモリ空間に論理的に分割し、表示画面サイズの画像データが入力されたときは画像メモリ全体を使用して表示画面サイズの画像データを表示し、小さい画面サイズの動画像データが入力されたときには複数の動画用メモリ空間に順に書き込み及び読み出しを行って小さい画面サイズの動画データを表示する。
【特許文献１】特開２００３−１８８８０１号公報
【特許文献２】特開２００４−２５２１０２号公報
【発明の開示】
【発明が解決しようとする課題】
【０００８】
しかしながら、従来の技術では、無線通信端末の表示能力に合ったディジタルコンテンツのサイトにしかアクセスできなかったり、ある解像度のコンテンツを提供するサイトに接続したのちは、解像度を変更することができなかった。
【０００９】
本発明は、上記実情に鑑みてなされたものであり、電波が不安定な状態での負荷の高いデータ通信を避けることができ、効率的に無線ネットワークを利用できるダウンロードシステムと無線端末装置を提供することを目的とする。
【課題を解決するための手段】
【００１０】
上記目的を達成するため、本発明の第１の観点に係るダウンロードシステムは、ディジタルコンテンツを提供する無線ネットワークに接続されたサーバから、無線通信端末が前記無線ネットワークを経由して前記ディジタルコンテンツをダウンロードするダウンロードシステムにおいて、前記サーバは、１つの前記ディジタルコンテンツについてデータ量毎に複数種備え、
前記無線通信端末は、前記ダウンロードを行う無線通信の通信品質を判断する通信品質判断手段と、この通信品質判断手段によって判断された通信品質に基づいて、前記サーバに対し、最適なデータ量のディジタルコンテンツのダウンロードを要求する要求手段とを備え、前記サーバは、前記要求手段により要求されたデータ量のディジタルコンテンツを提供する提供手段を備え、前記無線通信端末はさらに、前記提供制御手段により提供されたディジタルコンテンツをダウンロードするダウンロード手段を備えることを特徴とする。
【００１１】
本発明の第２の観点に係る無線通信端末は、ディジタルコンテンツを提供するサーバから無線ネットワークを経由してディジタルコンテンツをダウンロードする無線通信端末において、  無線通信の通信品質を検出する通信品質検出手段と、前記サーバが１つのディジタルコンテンツについてデータ量毎に複数種備えていることを検知する検知手段と、この検知手段により前記サーバが１つのディジタルコンテンツについてデータ量毎に複数種備えている場合、前記通信品質検出手段により検出された通信信品質に基づいて、前記サーバに最適なデータ量のディジタルコンテンツをダウンロード要求するダウンロード要求手段とを備えることを特徴とする。
【００１２】
好ましくは、前記通信品質は、前記無線通信の受信電界強度、誤り率、応答時間または実効伝送レートのうちの任意の組み合わせである。
【００１３】
特に、前記ディジタルコンテンツは静止画像データまたは動画像データであり、前記無線通信端末は、この静止画像データまたは動画像データを再生表示する表示手段と、前記ダウンロード要求手段に応答してダウンロードされた静止画像データまたは動画像データが、前記表示手段の表示能力よりも小さい場合、この静止画像データまたは動画像データを、より高解像のデータに変換して前記表示手段に表示させる表示制御手段とをさらに備える。
【００１４】
更に、無線通信端末は、前記表示手段の画面の解像度を有する画像データを格納する第１の画像記憶手段と、前記表示手段の画面の解像度とは異なる解像度の画像データを格納する第２の画像記憶手段とをさらに備え、前記表示制御手段は、前記第１の画像記憶手段に画像データが格納された場合にはこの第１の画像記憶手段に格納された画像データをそのまま前記表示手段に表示する一方、前記第２の画像記憶手段に画像データが格納された場合にはこの第２の画像記憶手段に格納された画像データを所定の拡大率または縮小率で拡大または縮小して、前記表示手段に表示することを特徴とする。
【００１５】
本発明の第３の観点に係るダウンロード方法は、ディジタルコンテンツを提供するサーバから無線ネットワークを経由してディジタルコンテンツをダウンロードする無線通信端末のダウンロード方法において、無線通信の通信品質を検出する通信品質検出ステップと、前記サーバが１つのディジタルコンテンツについてデータ量毎に複数種備えていることを検知する検知ステップと、この検知ステップにより前記サーバが１つのディジタルコンテンツについてデータ量毎に複数種備えている場合、前記通信品質検出ステップにより検出された通信品質に基づいて、前記サーバに最適なデータ量のディジタルコンテンツをダウンロード要求するダウンロード要求ステップとからなることを特徴とする。
【００１６】
本発明の第４の観点に係るコンピュータプログラムは、
ディジタルコンテンツを提供するサーバから無線ネットワークを経由してディジタルコンテンツをダウンロードするコンピュータを、無線通信の通信品質を検出する通信品質検出手段、前記サーバが１つのディジタルコンテンツについてデータ量毎に複数種備えていることを検知する検知手段、この検知手段により前記サーバが１つのディジタルコンテンツについてデータ量毎に複数種備えている場合、前記通信品質検出手段により検出された通信品質に基づいて、前記サーバに最適なデータ量のディジタルコンテンツをダウンロード要求するダウンロード要求手段として機能させることを特徴とする。
【発明の効果】
【００１７】
本発明によれば、ディジタルコンテンツを提供するサーバは、１つの前記ディジタルコンテンツについてデータ量毎に複数種備えており、無線通信端末は、判断された通信品質等に基づいて、最適なデータ量のディジタルコンテンツのダウンロードを要求するので、電波が不安定状態での負荷の高いデータ通信を避けることができ、効率的な無線ネットワークの利用が可能となる。
【００１８】
また本発明によれば、無線通信端末はさらに、無線通信の受信電界強度、誤り率、応答時間または実効伝送レートのうちの任意の組み合わせで通信品質を判断することができる。
【００１９】
また本発明によれば、無線通信端末はさらに、ディジタルコンテンツとして静止画像データや動画像データを再生表示することができ、ダウンロードされたこれらのデータが表示能力よりも小さい場合、より高解像のデータに変換して表示させることができる。
【００２０】
さらに本発明によれば、前記表示手段の画面の解像度を有する画像データはそのまま前記表示手段に表示する一方、前記表示手段の画面の解像度とは異なる解像度の画像データは所定の拡大率または縮小率で拡大または縮小して表示することができる。
【発明を実施するための最良の形態】
【００２１】
本発明の実施の形態に係るダウンロードシステムと無線通信端末について、図を参照して説明する。
【００２２】
図１は、本発明の実施の形態に係る無線通信端末を含むダウンロードシステムの構成を示す図である。無線ネットワークNにディジタルコンテンツを提供するサーバＳが接続されている。無線通信端末１は、無線ネットワークNを経由してサーバＳに接続し、サーバＳからディジタルコンテンツをダウンロードすることができる。
【００２３】
本発明において、ディジタルコンテンツとは、例えば、ディジタルデータ化された、文書、音楽、画像、映像、コンピュータプログラム、コンピュータプログラムが用いるデータなどをいう。ディジタルコンテンツは、ホームページの表示データや、コンピュータゲームのプログラムおよびそのデータを含む。また、本発明でディジタルコンテンツをダウンロードするとは、ホームページを閲覧することを含むものとする。
【００２４】
サーバＳは、無線通信端末１が表示できるディジタルコンテンツとして、ＶＧＡ（Video Graphics Array 。640×480ピクセル、16色の表示が可能）の解像度を有する画像のデータを提供するホームページＨＶと、ＱＶＧＡ（Quarter VGA 。320×240ピクセル）の解像度を有する画像のデータを提供するホームページＨＱとを備える。１つのホームページにＶＧＡの画像データとＱＶＧＡの画像データが格納されていて、いずれかを選択してダウンロードできるように構成されてもよい。
【００２５】
無線通信端末１はＶＧＡホームページＨＶまたはＱＶＧＡホームページＨＱにアクセスして、それぞれの解像度を有する画像をダウンロードすることができる。無線通信端末１は、サーバＳのホームページがＶＧＡの画像を提供するか、ＱＶＧＡの画像を提供するかを、ホームページの名称、またはダウンロードするデータ（ホームページの表示画面を含む）の属性で知ることができる。
【００２６】
図２は、無線通信端末１の構成を示すブロック図である。図２に示すように、無線通信端末１は、制御部２と、無線通信部３と、アンテナＡと、ＲＯＭ（Read Only Memory）４と、ＲＡＭ（Random Access Memory）５と、ＮＶＲＡＭ（Non-Volatile RAM：不揮発性ＲＡＭ）６と、音声入出力部７と、キー入力部８と、画像表示部１０と、から構成されている。無線通信部３、ＲＯＭ４、ＲＡＭ５、ＮＶＲＡＭ６、音声入出力部７、キー入力部８および画像表示部１０は、内部バス３０を介して制御部２に接続している。
【００２７】
制御部２は、例えばＣＰＵ（Central Processing Unit）等から構成されており、ＲＯＭ４に記憶されている各種プログラムを適宜実行することによって、無線通信端末１の各部の動作を制御する。ＲＡＭ５は、制御部２がプログラムを実行する際、ワークメモリとして用いられる。
【００２８】
ＮＶＲＡＭ６は、不揮発性メモリであって、無線通信端末１の各種の設定、例えば電話番号、通信サービスの特性などを記憶する。また、サーバＳからダウンロードしたディジタルコンテンツ等を記憶する。
【００２９】
無線通信部３は、アンテナＡから供給されるアナログ信号をダウンコンバートした後、直交復調処理やＡ／Ｄ（Analog-Digital）変換処理を施すなどしてチップレートのデジタル信号を生成する。さらに、チップレートのデジタル信号に対して逆拡散処理及び位相補正処理を施すなどして、シンボルレートの受信信号を取得して、制御部２に供給する。
【００３０】
無線通信部３は、制御部２から供給される送信データに対してエラー訂正符号化処理、物理チャネルへのマッピング処理、及び拡散処理を施す。そして、Ｄ／Ａ（Digital-Analog）変換処理および変調処理を施して、アップコンバートし、アンテナＡを介して無線ネットワークＮに送信する。
【００３１】
音声入出力部７は、無線通信部３から制御部２へ送られた受信データから、制御部２によって取り出された音声データにデコード処理を施し、Ｄ／Ａ変換器にてアナログ信号に変換してスピーカから出力することによって、通話相手方の音声または音楽データ等を再生する。
【００３２】
音声入出力部７は、マイクロフォンから入力される音声をＡ／Ｄ変換器にてデジタル信号に変換し、エンコード処理を施して、シンボルレートの送信信号を生成して制御部２または直接、無線通信部３に供給する。
【００３３】
キー入力部８は、例えば十字カーソルキーや、数字や文字を入力するための英数字キー、機能などを指定するためのボタン等のスイッチと、スイッチで発生する信号を内部バス３０を介して制御部２に伝送するインタフェースから構成される。キー入力部８は、ユーザによって操作されるものである。
【００３４】
制御部２は、ユーザの入力によりインターネットのホームページを閲覧するプログラムであるブラウザを実行する。ブラウザは、ユーザにより指定されたホームページへアクセスして、ＨＴＭＬ(Hyper Text Markup Language)ファイル形式のコンテンツデータのダウンロードを可能にする。
【００３５】
図３は、画像表示部１０の構成を表すブロック図である。画像表示部１０は、例えば、ＶＧＡクラスの解像度を有した画像（映像、動画像）を表示する能力を備えるＬＣＤ（Liquid Crystal Display）パネル１９と、そのＬＣＤパネル１９に画像を表示するための画像表示処理を実行する要素とを備える。例えば無線通信端末１がＬＣＤパネル１９を備える場合、画像表示部１０は、ＬＣＤコントローラと液晶パネルを一体化したパネルモジュールとして構成することができる。
【００３６】
ＬＣＤパネル１９は、比較的小型で画面サイズが小さめの液晶パネルなどが一般的に使用されるが、有機ＥＬなどの液晶パネル以外の各種表示装置を使用することが可能である。なお、以下の説明では、ＬＣＤパネル１９の画面サイズは横４８０ドット×縦６４０ドット、１ドットあたりの色ビット数（ｂｐｐ：bit per pixel）が１６ビットであるとする。
【００３７】
画像表示部１０は、さらに、ホストインタフェース（以下、ホストＩ／Ｆという）１１、メモリライト（書き込み）制御部１２、フレームメモリ（ＶＲＡＭ）１３、メモリリード（読み出し）制御部１４、スケーラ１５および拡大部１６、合成部１７、ＬＣＤドライバ１８を備える。ホストＩ／Ｆ１１は、制御部２との間で必要なデータを授受するためのインターフェースであり、主としてＬＣＤパネル１９に画像を表示するための各種コマンドや表示画像データなどを制御部２から受信して、メモリライト制御部１２へ供給する。
【００３８】
メモリライト制御部１２は、制御部２から与えられる論理アドレス及びメモリライト要求をホストＩ／Ｆ１１を通じて受け取り、実際のＶＲＡＭ１３上の物理アドレスを生成してメモリリード制御部１４に供給する。また、メモリライト制御部１２は、ＬＣＤパネル１９上への画像の表示オン・オフコマンド、メモリライト／リード指令、内部動作モード設定（垂直・水平周期設定、画像サイズ、階調数、データモード、表示モード、スクロールモードなど）を制御部２から受け取り、内部のテーブル１２ａに記憶する。テーブル１２ａはまた、制御部２から与えられる画像データの書き込みアドレスと、画像データの解像度（例えばＶＧＡかＱＶＧＡか）を対応づけるデータを記憶する。
【００３９】
メモリライト制御部１２は、制御部２からホストＩ／Ｆ１１を経由して表示画像データを受け取るとともに、書き込み論理アドレスからＶＲＡＭ１３上の物理アドレス（ライトアドレス）に変換し、変換した物理アドレスに表示画像データを書き込む。メモリライト制御部１２は、テーブル１２ａを参照して書き込み論理アドレスから画像データの解像度を判別する。メモリライト制御部１２は、判別した解像度をメモリリード制御部１４に選択信号（ＳＥＬ信号）２０で伝達する。
【００４０】
メモリライト制御部１２は、ＬＣＤドライバ１８からフレーム同期信号２２（ＶＳＹＮＣ）が供給される。メモリライト制御部１２は、ＶＳＹＮＣ２２のタイミングに同期して、画像データをＶＲＡＭ１３に書き込む。
【００４１】
ＶＲＡＭ１３は少なくとも、ＬＣＤパネル１９の１画面分（例えばＶＧＡ）と、例えばＬＣＤパネル１９の解像度の半分の（面積では１／４の）解像度（例えばＱＶＧＡ）の１画面分の表示画素を有する、ランダムアクセス可能な半導体メモリである。本発明の実施例においてはＶＲＡＭ１３は少なくとも、ＬＣＤパネル１９の一画面分に相当する４８０×６４０×１６ｂｐｐ（６００ＫＢ、１ＫＢ＝１０２４バイト）のＶＧＡ画像メモリ１３ａと、２４０×３２０×１６ｂｐｐ（１５０ＫＢ）のＱＶＧＡ画像メモリ１３ｂの合計のサイズ７５０ＫＢを有する。実際にはＶＲＡＭは２のべき乗のサイズであることが多い。例えばＶＲＡＭ１３が７６８ＫＢとして、ＶＧＡ画像メモリ１３ａを６１４ＫＢ、ＱＶＧＡ画像メモリ１３ｂを１５３ＫＢとする。
【００４２】
本実施の形態では、ＶＲＡＭ１３はデュアルポートメモリであり、２つのポートを使用して書き込み（ライト）と読み出し（リード）を行う。フレームメモリ１３がシングルポートメモリの場合は、１つのポートを時分割で使用してライトとリードを実行する。ＶＲＡＭ１３は、制御部２側のメモリ（ＲＡＭ５またはＮＶＲＡＭ６）とは異なり、パネルモジュール上に設置されるメモリであるのでそれほど大容量にすることができない。
【００４３】
また、ＶＲＡＭ１３は、小さな解像度のデータに対しては論理的に分割して用いることが可能である。例えば、ＱＶＧＡ動画像を表示する場合には、ＶＧＡ画像メモリ１３ａを、ＱＶＧＡの動画像用にメモリを分割させて使用する。
【００４４】
メモリリード制御部１４は、制御部２からメモリライト制御部１２へ表示オンコマンドが供給されると、メモリライト制御部１２から与えられる物理アドレス（リードアドレス）に従って、ＶＲＡＭ１３のＶＧＡ画像メモリ１３ａからから表示画像データをリードし（読み出し）、スケーラ１５へ送る。また、ＶＲＡＭ１３のＱＶＧＡ画像メモリ１３ｂから表示画像データを読み出し、拡大部１６へ送る。メモリリード制御部１４はＬＣＤドライバ１８からフレーム同期信号２２（ＶＳＹＮＣ）が供給され、ＶＳＹＮＣ２２に同期して画像データをＶＲＡＭ１３から読み出す。
【００４５】
スケーラ１５および拡大部１６はパネルサイズより小さな画像を所定の拡大率で例えばパネルサイズに拡大する。スケーラ１５および拡大部１６は、メモリリード制御部１４の拡大率指令（ＳＥＬ−ＳＹＮＣ）２１ａおよび２１ｂに従って、拡大率を変更する。スケーラ１５は等倍（×１）の場合を含む。本実施の形態では、ＶＧＡの画像を表示する場合は、スケーラ１５の拡大率は１（等倍）であり、ＱＶＧＡ等のＶＧＡ以下の解像度を有する動画像を表示する場合は、スケーラ１５の拡大率は２である。また、ＱＶＧＡの画像をＶＧＡの画面に合わせるので、拡大部１６の拡大率は２である。拡大部１６の拡大率が固定の場合は、ＳＥＬ−ＳＹＮＣ２１ｂはなくてもよい。
【００４６】
合成部１７は、スケーラ１５または拡大部１６で拡大された各画像を合成して１画面分の表示画像データを生成する。例えば、スケーラ１５の画像データの上に、拡大部１６で拡大された画像データを画素ごとに上書きする。拡大部１６の画像データの画素が透明である場合は、上書きせずスケーラ１５の画像データがそのまま表示される。また、拡大部１６の画像データの画素がフィルタ要素である場合は、その画素のフィルタ効果をスケーラ１５の画像データの画素に作用させる。このようにして、ＶＧＡの画面にＱＶＧＡの画像を任意に合成することができる。例えば、ＶＧＡの画面にＱＶＧＡの画面要素であるアイコンなどを、ＶＧＡの解像度で表示させることができる。
【００４７】
また、合成部１７では、拡大部１６の画像データにスケーラ１５の画像データを上書きして、ＱＶＧＡの画面にＶＧＡの画像を表示させてもよい。ＱＶＧＡの画像とＶＧＡの画像のいずれを背景にするかは、制御部２からホストＩ／Ｆ１１を介してメモリライト制御部１２に指令され、メモリライト制御部１２からメモリリード制御部１４および拡大部１６を経由して合成部１７に指示される。
【００４８】
ＬＣＤドライバ１８は、合成された表示画像データをＬＣＤパネル１９上に表示させる処理を行う。例えば、ドライバ１８は液晶パネルのデータ電極を駆動するセグメントドライバと走査電極を駆動するコモンドライバを有する半導体装置であり、表示画像データをＬＣＤパネル１９の駆動電圧に変換して供給する。こうして、画像表示部１０はＶＧＡの画像とＱＶＧＡの画像をそれぞれ独立に、または合成して表示することができる。また、ＱＶＧＡの画像を拡大して、表示することができる。
【００４９】
次に、上記の構成を有する無線通信端末１の動作を図を参照して説明する。図４は、サーバＳにアクセスしてディジタルコンテンツをダウンロードする場合の、無線通信端末１の表示画面の遷移を表した図である。
【００５０】
無線通信端末１はＶＧＡとＱＶＧＡの画像を表示することができるので、無線通信の状況がよい場合には、解像度の高いＶＧＡのディジタルコンテンツをダウンロードする。すなわち、受信電界強度が所定の閾値より大きい場合は、自動的にＶＧＡホームページＨＶに接続し、ＶＧＡの画面Ｐ１を表示する。そして、ユーザのキー入力に従って、ＶＧＡのディジタルコンテンツ、例えば画像、映像またはゲームプログラムやデータなどをダウンロードする（画面Ｐ２）。
【００５１】
受信電界強度が所定閾値以下の場合は、ＱＶＧＡの画面を選択するように誘導する画面Ｐ３を表示する。そこで、ユーザがＱＶＧＡを選択すれば、ＱＶＧＡホームページＨＱに接続し、ＱＶＧＡの画面を表示する（画面Ｐ４）。そして、ユーザのキー入力に従って、ＱＶＧＡのディジタルコンテンツをダウンロードする（画面Ｐ５）。
【００５２】
ＶＧＡのコンテンツをダウンロードしているときに、受信電界強度が所定の閾値以下になった場合は、次の画像をダウンロードするときに、ＱＶＧＡの画面を選択するように誘導する画面Ｐ３を表示して、ＱＶＧＡホームページＨＱに移るようにしてもよい。また、ＱＶＧＡのディジタルコンテンツをダウンロードしているときに、受信電界強度が所定の閾値より大きくなった場合は、ＶＧＡホームページＨＶに接続することを確認する画面Ｐ６を表示して、ＶＧＡホームページＨＶに移ることができるように構成してもよい。
【００５３】
次に、無線通信端末１の動作を図を参照して説明する。図５は、無線通信端末１の動作の一例を表すフローチャートである。ユーザが、無線通信端末１のキー入力部８を操作して、ブラウザを起動し、サーバＳのホームページにアクセスするよう指示すると、ユーザの指示入力は無線通信端末１の制御部２に伝わる。制御部２は、サーバＳのホームページのＵＲＬ（Uniform Resource Locator）によってサーバＳのホームページを参照する（ステップＡ１）。
【００５４】
制御部２は、サーバＳが提供するコンテンツの解像度を検知する（ステップＡ２）。サーバＳが２種類（ＶＧＡとＱＶＧＡ）の解像度のディジタルコンテンツを提供するかどうかを調べ（ステップＡ３）、２種類の解像度を提供する場合（ステップＡ３；Ｙｅｓ）、そのときの受信電界強度を確認する。受信電界強度は、無線通信部３で検出されて、制御部２に指示される。受信電界強度を所定の基準値Ｃ（閾値）と比較する（ステップＡ４）。受信電界強度が基準値Ｃを超えている場合は（ステップＡ４；Ｎｏ）、図４で示すように、ＶＧＡホームページＨＶに接続して、ＶＧＡの画像を表示する（ステップＡ１１）。そして、ＶＧＡの解像度を有するディジタルコンテンツのダウンロード処理を行う（ステップＡ１２）。
【００５５】
受信電界強度が基準値Ｃ以下である場合は（ステップＡ５；Ｙｅｓ）、図４の画面Ｐ３のようなＱＶＧＡページへの接続を誘導する画面を表示し（ステップＡ６）、ユーザの入力をまつ。ここで、ユーザがＱＶＧＡを選択した場合は（ステップＡ７；Ｙｅｓ）、制御部２は、ＱＶＧＡホームページＨＱに接続し、ＱＶＧＡの画像を表示する（ステップＡ８）。そして、ＱＶＧＡの解像度を有するディジタルコンテンツのダウンロード処理を行う（ステップＡ９）。
【００５６】
ユーザがＶＧＡを選択した場合は（ステップＡ７；Ｎｏ）、キー入力に従って、ＶＧＡホームページＨＶに接続して、ＶＧＡの画像を表示する（ステップＡ１１）。そして、ＶＧＡの解像度を有するディジタルコンテンツのダウンロード処理を行う（ステップＡ１２）。
【００５７】
初めに、サーバＳが２種類の解像度のディジタルコンテンツを提供しない場合は（ステップＡ３；Ｎｏ）、サーバＳが提供する解像度のホームページに接続して、それぞれの画像（ページデータ）を表示する（ステップＡ１３）。そして、その解像度のディジタルコンテンツのダウンロード処理を行う（ステップＡ１４）。
【００５８】
ＱＶＧＡの解像度を有するディジタルコンテンツのダウンロード処理の動作を、図６のフローチャートに示す。ユーザの入力に従って、ディジタルコンテンツを１つダウンロードする（ステップＢ１）。さらに、そのＱＶＧＡホームページで継続してダウンロードする場合は（ステップＢ２；Ｙｅｓ）、制御部２は、そのときの受信電界強度を無線通信部３から入力する（ステップＢ３）。
【００５９】
受信電界強度が基準値Ｃを超えている場合は（ステップＢ４；Ｎｏ）、図４の画面Ｐ６に示すような、ＶＧＡホームページ接続確認の画面を表示し、ユーザの入力を受け付ける（ステップＢ５）。ここで、ユーザがＶＧＡを選択した場合は（ステップＢ６；Ｙｅｓ）、図５のステップＡ１２に遷移して、ＶＧＡの解像度を有するディジタルコンテンツのダウンロード処理を行う（ステップＡ１２）。
【００６０】
ユーザがＱＶＧＡを選択した場合（ステップＢ６；Ｎｏ）、または受信電界強度が基準値Ｃ以下の場合は（ステップＢ４；Ｙｅｓ）、同じＱＶＧＡの解像度を有するディジタルコンテンツのダウンロードを行う（ステップＢ１）。
【００６１】
接続していたＱＶＧＡホームページＨＱからのダウンロードを継続しない場合は（ステップＢ２；Ｎｏ）、ダウンロード処理を終了して、図５のステップＡ１０に戻る。
【００６２】
ＶＧＡの解像度を有するディジタルコンテンツのダウンロード処理の動作を、図７のフローチャートに示す。ＶＧＡのダウンロード処理の場合も、ＱＶＧＡのダウンロード処理と同様、１つのディジタルコンテンツをダウンロードするごとに、受信電界強度を調べる。すなわち、ユーザの入力に従って、ディジタルコンテンツを１つダウンロードする（ステップＣ１）。さらに、そのＱＶＧＡホームページで継続してダウンロードする場合は（ステップＣ２；Ｙｅｓ）、制御部２は、そのときの受信電界強度を無線通信部３から入力する（ステップＣ３）。
【００６３】
受信電界強度が基準値Ｃ以下の場合は（ステップＣ４；Ｙｅｓ）、図４の画面Ｐ３に示すような、ＱＶＧＡホームページへの接続を推奨する誘導画面を表示し、ユーザの入力を待つ（ステップＣ５）。ここで、ユーザがＱＶＧＡを選択した場合は（ステップＣ６；Ｙｅｓ）、図５のステップＡ９に遷移して、ＱＶＧＡの解像度を有するディジタルコンテンツのダウンロード処理を行う（ステップＡ９）。
【００６４】
ユーザがＱＶＧＡを選択した場合（ステップＣ６；Ｎｏ）、または受信電界強度が基準値Ｃを超えている場合は（ステップＣ４；Ｎｏ）、同じＱＶＧＡの解像度を有するディジタルコンテンツのダウンロードを行う（ステップＣ１）。
【００６５】
接続していたＶＧＡホームページＨＶからのダウンロードを継続しない場合は（ステップＣ２；Ｎｏ）、ダウンロード処理を終了して、図５のステップＡ１０に戻る。
【００６６】
ＶＧＡのダウンロードの場合、１つのディジタルコンテンツのデータ量が大きい場合は、ダウンロードの途中でも、受信電界強度と基準値Ｃとを比較して、基準値Ｃ以下の場合は、ＱＶＧＡホームページへの接続を推奨する誘導画面を表示し、ユーザの入力を促すように構成してもよい。
【００６７】
図５のフローチャートに戻って、それぞれの場合のホームページからのダウンロードが終了したのち、さらに異なるページ（例えば、異なるサーバから）を参照するかどうかを判断する（ステップＡ１０）。継続してホームページにアクセスする場合は、ステップＡ１に戻って、そのホームページを参照する。
【００６８】
以上説明したように本発明のダウンロードシステムまたは無線通信端末１によれば、ＶＧＡの解像度に対応する無線通信端末においても、単純にＶＧＡのサイズの画像をダウンロードするのではなく、受信電界強度に応じて、ＶＧＡとＱＶＧＡを選択してダウンロードできるので、電波が不安定状態での負荷の高いデータ通信を避けることが可能で、無線ネットワークを有効に利用できる。また、ユーザにとっても短時間でディジタルコンテンツが得られるという効果がある。そして、サーバＳが提供するＶＧＡ、ＱＶＧＡ両方のサイズのディジタルコンテンツを有効に利用できる。
【００６９】
なお、本実施の形態では、受信電界強度について説明したが、本発明では通信品質として受信電界強度には限られない。例えば、無線通信の誤り率、サーバＳに要求を送信してから応答が返ってくるまでの応答時間または実効伝送レートなどを用いてもよい。またそれらを組み合わせて用いることもできる。
【００７０】
本実施の形態では、画像としてＶＧＡとＱＶＧＡの場合を説明したが、それ以外の解像度、例えば、ＸＧＡ（eXtended Graphics Array 。1024×768ピクセルの解像度）、ＳＶＧＡ（Super Video Graphics Array。800×600ピクセルの解像度）、ＳＸＧＡ（Super eXtended Graphics Array。1280×1024ピクセルの解像度）、またはQuad-VGA（1280×960ピクセルの解像度）などの組み合わせであってもよい。
【００７１】
また、本実施の形態では、ディジタルコンテンツとして画像の場合について説明したが、画像以外でも、例えば、音楽、映像（動画像）、ゲームソフトとそのデータなどであっても、１つのディジタルコンテンツが２種類以上の解像度で提供される場合に適用することができる。
【００７２】
次に、通信品質以外の基準で、ダウンロードするディジタルコンテンツの解像度を選択する場合について説明する。図８は、電池残量検出部を備える無線通信端末１の構成を示す。無線通信端末は多くの場合、電池Ｂで動作する。電池Ｂから無線通信端末１の各部に電力が供給されている。電池残量検出部９は、電池Ｂの残量を検出し、制御部２に通知する。例えば、電池Ｂの出力電圧が所定の基準値以下の場合に、制御部２に電池残量低下の情報を通知する。
【００７３】
制御部２は、電池残量が基準値を超えているか、基準値以下であるかによって、ダウンロードするディジタルコンテンツの解像度（データ量に連動する）を選択するように構成することができる。例えば、図５乃至図７のフローチャートの受信電界強度の判定の替わりに、電池残量の判定とすることができる。図９は、電池残量が低下した場合に、ＱＶＧＡホームページへの接続を推奨する誘導画面の例である。
【００７４】
電池残量の場合は、サーバに接続している間は、電池残量が増加しないと想定してよいので、一旦、小さいデータ量のディジタルコンテンツを提供するホームページに接続した後は、ダウンロードの途中で電池残量を判定して接続を変更しなくてもよい。
【００７５】
さらに、無線通信端末１が利用している通信サービスの種類によって、ダウンロードするディジタルコンテンツの解像度を選択するように構成してもよい。例えば、無線通信のサービスには、通信量（接続時間または通信データ量）に比例する従量制で通信料金が課金される場合と、定額制の場合がある。定額制は、例えば、１ヶ月の間にどれだけ通信しても通信料金が一定の場合である。
【００７６】
従量制の通信料金の場合は、大きいデータ量のディジタルコンテンツをダウンロードすると、小さいデータ量のディジタルコンテンツよりもそれだけ通信料金がかかる。そこで、無線通信端末１が現在受けている通信サービスの種類を判定して、ダウンロードするディジタルコンテンツの解像度を選択できるようにすれば、ユーザは通信料金を節約することができる。図１０は、通信サービスが従量制課金の場合に、ＱＶＧＡホームページへの接続を推奨する誘導画面の例である。
【００７７】
通信サービスの種類を判定するには、あらかじめどのような通信サービスかを設定して、ＮＶＲＡＭ６に記憶しておいた情報を利用することができる。また、通信の開始時点で無線ネットワークＮの制御局から、その無線通信端末１の通信サービスの種類が通知されるように無線ネットワークを構成してもよい。
【００７８】
その他、前記のハードウエア構成やフローチャートは一例であり、任意に変更及び修正が可能である。
【００７９】
制御部２、ＲＯＭ４、ＲＡＭ５、ＮＶＲＡＭ６、キー入力部８、内部バス３０などから構成される無線通信端末１のダウンロードするディジタルコンテンツの解像度を選択する処理を行う中心となる部分は、専用のシステムによらず、通常のコンピュータシステムを用いて実現可能である。たとえば、前記の動作を実行するためのコンピュータプログラムを、コンピュータが読みとり可能な記録媒体（フレキシブルディスク、CD-ROM、DVD-ROM等）に格納して配布し、当該コンピュータプログラムをコンピュータにインストールすることにより、前記の処理を実行する無線通信端末を構成してもよい。また、インターネット等の通信ネットワーク上のサーバ装置が有する記憶装置に当該コンピュータプログラムを格納しておき、通常のコンピュータシステムがダウンロード等することで無線通信端末１を構成してもよい。
【００８０】
また、無線通信端末１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００８１】
なお、本実施の形態では、ＶＧＡの表示領域にＱＶＧＡの画像データに基づく画像を拡大表示、もしくは、ＶＧＡの画像とＱＶＧＡの画像との合成表示について詳述したが、ＳＸＧＡ（１２８０×１０２４）、ＵＸＧＡ（１６００×１２００）もしくはそれ以上の解像度を有する、異なる解像度の画像データを実装された表示デバイスに適応させて表示させたり、合成表示させるものであれば、これに限定されない。
【００８２】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、OSの制御下で、他のアプリケーションプログラムと同様に実行することにより、前記の処理を実行できるように構成してもよい。
【図面の簡単な説明】
【００８３】
【図１】本発明の実施の形態に係るダウンロードシステムの例を表す構成図である。
【図２】本発明の実施の形態に係る無線通信端末の一例を表す構成図である。
【図３】本発明の実施の形態に係る無線通信端末の画像表示部の一例を表す構成図である。
【図４】本発明の実施の形態に係るディジタルコンテンツをダウンロードする場合の、無線通信端末の表示画面の遷移の一例を表した図である。
【図５】本発明の実施の形態に係る無線通信端末の動作の一例を表すフローチャートである。
【図６】ＱＶＧＡの解像度を有するディジタルコンテンツのダウンロード処理の動作の一例を表すフローチャートである。
【図７】ＶＧＡの解像度を有するディジタルコンテンツのダウンロード処理の動作の一例を表すフローチャートである。
【図８】電池残量検出部を備える場合の無線通信端末の一例を表す構成図である。
【図９】電池残量が低下した場合に、ＱＶＧＡホームページへの接続を推奨する誘導画面の例を表す図である。
【図１０】通信サービスが従量制課金の場合に、ＱＶＧＡホームページへの接続を推奨する誘導画面の例を表す図である。
【符号の説明】
【００８４】
１…無線通信端末、２…制御部（通信品質検出手段、要求手段、ダウンロード要求手段、検知手段、表示制御手段）、３…無線通信部、４…ＲＯＭ、５…ＲＡＭ、６…ＮＶＲＡＭ、７…音声入出力部、８…キー入力部、９…電池残量検出部、１０…画像表示部（表示手段）、１１…ホストＩ／Ｆ、１２…メモリライト制御部、１３…ＶＲＡＭ、１３ａ…ＶＧＡ画像メモリ（第１の画像記憶手段）、１３ｂ…ＱＶＧＡ画像メモリ（第２の画像記憶手段）、１４…メモリリード制御部、１５…スケーラ、１６…拡大部、１７…合成部、１８…ＬＣＤドライバ、１９…ＬＣＤパネル、ＨＶ…ＶＧＡホームページ、ＨＱ…ＱＶＧＡホームページ、Ｎ…無線ネットワーク、Ｓ…サーバ（提供手段）
【図１】
2007129472.tif 000003
【図２】
2007129472.tif 000004
【図３】
2007129472.tif 000005
【図４】
2007129472.tif 000006
【図５】
2007129472.tif 000007
【図６】
2007129472.tif 000008
【図７】
2007129472.tif 000009
【図８】
2007129472.tif 000010
【図９】
2007129472.tif 000011
【図１０】
2007129472.tif 000012